【手続補正書】
【提出日】平成24年6月28日(2012.6.28)
【手続補正１】
【補正対象書類名】明細書
【補正対象項目名】０００８
【補正方法】変更
【補正の内容】
【０００８】
上記した課題を解決するために、本発明の情報処理装置は以下の構成を備える。すなわち、３次元モデル形状データの寸法値の確認を支援する情報処理装置であって、フィーチャの寸法値確認の際に用いる、フィーチャのタイプ及びその寸法値を含むフィーチャの抑制条件の入力を受け付ける第１の受付手段と、前記第１の受付手段で入力を受け付けた抑制条件に基づきフィーチャの抑制を行った結果の第１の画像、及び、フィーチャの抑制を行っていない第２の画像を生成する生成手段と、前記生成手段で生成した第１の画像と、第２の画像とを対比表示する表示手段と、を備えることを特徴とする。
【手続補正２】
【補正対象書類名】明細書
【補正対象項目名】０００９
【補正方法】変更
【補正の内容】
【０００９】
上記した課題を解決するために、本発明の情報処理方法は以下の構成を備える。すなわち、  ３次元モデル形状データの寸法値の確認を支援する情報処理装置によって行われる情報処理方法であって、フィーチャの寸法値確認の際に用いる、フィーチャのタイプ及びその寸法値を含むフィーチャの抑制条件の入力を受け付ける第１の受付工程と、前記第１の受付工程で入力を受け付けた抑制条件に基づきフィーチャの抑制を行った結果の第１の画像、及び、フィーチャの抑制を行っていない第２の画像を生成する生成工程と、前記生成工程で生成した第１の画像と、第２の画像とを対比表示する表示工程と、を備えることを特徴とする。
【手続補正３】
【補正対象書類名】明細書
【補正対象項目名】００１０
【補正方法】変更
【補正の内容】
【００１０】
本発明によれば、３次元モデル形状データの確認を行う際に、入力された抑制条件に応じて、３次元モデル形状データ中のフィーチャの出力／非出力を制御することで、フィーチャに関する寸法値の確認を容易に行うことが可能となり、もって、３次元モデル形状データの確認作業の削減や、確認漏れや確認ミスの低減することが期待できる。
【手続補正４】
【補正対象書類名】明細書
【補正対象項目名】００１５
【補正方法】変更
【補正の内容】
【００１５】
１０４は記憶部であり、３次元モデル形状データ（３ＤＣＡＤデータ）１０４−ａ、条件テーブルデータ１０４−ｂ、３次元モデル確認資料テンプレートファイル１０４−ｃ、ＣＡＤプログラム１０４−ｄ、フィーチャ抑制プログラム１０４−ｅ、３次元モデル確認プログラム１０４−ｆ等を記憶する。
【手続補正５】
【補正対象書類名】明細書
【補正対象項目名】００１７
【補正方法】変更
【補正の内容】
【００１７】
ＣＰＵ２０１は、システムバス２０４に接続される後述の各デバイスやコントローラを統括的に制御する。また、ＲＯＭ２０３あるいは外部メモリ２１１には、ＣＰＵ２０１の制御プログラムであるＢＩＯＳ（Basic Input / Output System）やオペレーティングシステムプログラム（以下、ＯＳ）や、情報処理装置が実行する機能を実現するために必要な後述する各種プログラム等が記憶されている。
【手続補正６】
【補正対象書類名】明細書
【補正対象項目名】００１８
【補正方法】変更
【補正の内容】
【００１８】
ＣＰＵ２０１は、図１に示す演算部１０３として機能し、処理の実行に際して必要なプログラム等をＲＡＭ２０２にロードして、プログラムを実行することで各種動作を実現するものである。また、入力コントローラ（入力Ｃ）２０５は、キーボード２０９や不図示のマウス等のポインティングデバイスからの入力を制御する。入力コントローラ２０５及びキーボード２０９は、図１に示す入力部１０１として機能する。ビデオコントローラ（ＶＣ）２０６は、図１に示す表示部１０２として機能し、ディスプレイ装置２１０等の表示装置への表示を制御する。ディスプレイ装置２１０は、例えばＣＲＴディスプレイや液晶ディスプレイ等である。
【手続補正７】
【補正対象書類名】明細書
【補正対象項目名】００２２
【補正方法】変更
【補正の内容】
【００２２】
本発明の情報処理装置が各種処理を実行するために用いられるプログラムは外部メモリ２１１に記憶されており、必要に応じてＲＡＭ２０２にロードされることによりＣＰＵ２０１によって実行されるものである。さらに、本発明に関わるプログラムが用いる定義ファイルや各種情報テーブルは、図１の記憶部１０４として機能する外部メモリ２１１に格納されている。
【手続補正８】
【補正対象書類名】明細書
【補正対象項目名】００２４
【補正方法】変更
【補正の内容】
【００２４】
まずＣＰＵ２０１は、情報処理装置を操作するユーザの指示に従って、記憶部１０４に記憶されているＣＡＤプログラム１０４−ｄを起動し、その後入力部１０１による確認対象となる３次元モデル形状データの指定を受け付け、当該指定を受けた３次元モデル形状データを開き、表示部１０２による制御に従ってディスプレイ装置２１０に確認対象となる３次元モデル形状データを表示する（ステップＳ３０１）。具体的には、図８の８００に示すような３次元モデル形状データを表示するための画面をディスプレイ装置２１０に表示することになる。
【手続補正９】
【補正対象書類名】明細書
【補正対象項目名】００２５
【補正方法】変更
【補正の内容】
【００２５】
その後、例えばＣＡＤプログラム１０４−ｄのメニューを介してユーザより３次元モデル形状データの寸法値の確認要求を受け付けると、ＣＰＵ２０１は確認要求に応じて３次元モデル確認プログラム１０４−ｆを起動し、その制御に従って３次元モデル抑制の条件となるフィーチャやパラメータ等の条件データを入力するための条件入力画面を表示する。ここで表示する条件入力画面は図７のような画面である。そして、入力部１０１を介して当該画面に入力された条件データを取得する（ステップＳ３０２）。取得した条件データは条件データテーブル１０４−ｂとしてＲＡＭ２０２に記憶する（ステップＳ３０３）。
【手続補正１０】
【補正対象書類名】明細書
【補正対象項目名】００３０
【補正方法】変更
【補正の内容】
【００３０】
電子書類作成指定欄７０５は、寸法値確認用の電子書類を作成する／しないを指定するための指定欄であり、作成するラジオボタン７０５−ａが選択された場合には電子書類の作成を行い、作成しないラジオボタン７０５−ｂが選択された場合には電子書類の作成は行わない。
【手続補正１１】
【補正対象書類名】明細書
【補正対象項目名】００３３
【補正方法】変更
【補正の内容】
【００３３】
実行ボタン７０８が押下されたことをＣＰＵ２０１が検知すると、ＣＰＵ２０１はこの画面を介した入力された条件で、図３のステップＳ３０４以降の処理を行うことになる。終了ボタン７０９が押下されたことをＣＰＵ２０１が検知すると、本画面の表示を終了する。以上が図７に示すフィーチャ抑制条件入力画面の説明である。
【手続補正１２】
【補正対象書類名】明細書
【補正対象項目名】００５７
【補正方法】変更
【補正の内容】
【００５７】
そして、その後、図３のステップＳ３１９の処理でフィーチャの寸法値正誤確認のための電子書類が作成されることになる。フィーチャ８０１−ａ乃至８０１−ｃの寸法値が正しく設定されている場合には、図８の８５０に示すような電子書類データが生成されることになる。この例では、フィーチャの抑制前の画像データと抑制後の画像データとが対照表示されている。
【手続補正１３】
【補正対象書類名】特許請求の範囲
【補正対象項目名】全文
【補正方法】変更
【補正の内容】
【特許請求の範囲】
【請求項１】
３次元モデル形状データの寸法値の確認を支援する情報処理装置であって、
フィーチャの寸法値確認の際に用いる、フィーチャのタイプ及びその寸法値を含むフィーチャの抑制条件の入力を受け付ける第１の受付手段と、
前記第１の受付手段で入力を受け付けた抑制条件に基づきフィーチャの抑制を行った結果の第１の画像、及び、フィーチャの抑制を行っていない第２の画像を生成する生成手段と、
前記生成手段で生成した第１の画像と、第２の画像とを対比表示する表示手段と、
を備えることを特徴とする情報処理装置。
【請求項２】
前記生成手段が生成する前記第１の画像及び前記第２の画像の表示方向の指定を受け付ける第２の受付手段を更に備え、
前記生成手段は、前記第２の受付手段で受け付けた表示方向から前記３次元モデル形状データを見た前記第１の画像及び前記２の画像を生成すること
を特徴とする請求項１に記載の情報処理装置。
【請求項３】
前記第２の受付手段が前記表示方向の指定を複数受け付けた場合に、前記生成手段は、前記第２の手段で受け付けた複数の表示方向それぞれについて、当該表示方向から前記３次元モデル形状データを見た前記第１の画像及び前記２の画像を生成すること
を特徴とする請求項２に記載の情報処理装置。
【請求項４】
前記第１の受付手段が前記抑制条件の入力を複数受け付けた場合に、前記生成手段は、前記抑制条件のそれぞれについて、当該抑制条件に基づきフィーチャの抑制を行った結果の第１の画像を生成すること
を特徴とする請求項１乃至３のいずれか１項に記載の情報処理装置。
【請求項５】
前記第１の受付手段はさらに、前記抑制条件とともに、当該抑制条件に基づいて行ったフィーチャの抑制を、他の抑制条件に基づき前記第１の作成手段が第１の画像を作成する際にも維持するか否かを示すフィーチャ抑制維持指定を受け付け、
前記生成手段は、一の抑制条件のフィーチャ抑制維持指定がフィーチャの抑制の抑制を維持するものである場合に、前記他の抑制条件に基づき前記第１の画像を作成する際に、一の抑制条件に基づいて行われたフィーチャの抑制を維持した形で、前記他の抑制条件に基づく第１の画像を生成すること
を特徴とする請求項４に記載の情報処理装置。
【請求項６】
前記表示手段は、さらに、前記第１の受付手段で前記抑制条件として入力を受け付けたフィーチャのタイプ及びその寸法値を表示すること
を特徴とする請求項１乃至５のいずれか１項に記載の情報処理装置。
【請求項７】
３次元モデル形状データの寸法値の確認を支援する情報処理装置によって行われる情報処理方法であって、
フィーチャの寸法値確認の際に用いる、フィーチャのタイプ及びその寸法値を含むフィーチャの抑制条件の入力を受け付ける第１の受付工程と、
前記第１の受付工程で入力を受け付けた抑制条件に基づきフィーチャの抑制を行った結果の第１の画像、及び、フィーチャの抑制を行っていない第２の画像を生成する生成工程と、
前記生成工程で生成した第１の画像と、第２の画像とを対比表示する表示工程と、
を備えることを特徴とする情報処理方法。
【請求項８】
３次元モデル形状データの寸法値の確認を支援する情報処理装置を、
フィーチャの寸法値確認の際に用いる、フィーチャのタイプ及びその寸法値を含むフィーチャの抑制条件の入力を受け付ける第１の受付手段と、
前記第１の受付手段で入力を受け付けた抑制条件に基づきフィーチャの抑制を行った結果の第１の画像、及び、フィーチャの抑制を行っていない第２の画像を生成する生成手段と、
前記生成手段で生成した第１の画像と、第２の画像とを対比表示する表示手段
として機能させることを特徴とするコンピュータプログラム。